(57)【要約】【課題】重さ調整作業を簡単かつスピーディに行うことができる釣り用浮きを提供することを目的とする。【解決手段】釣り用浮き１５が、本体部２１とキャップ部２２を有して構成される。本体部２１は、道糸１２ａが挿通される道糸挿通路５２を有するとともに、水や海水等の液体等重さ調整物Ｗの収容および排出が可能な収容空間４３を内部に有する。キャップ部２２は、本体部２１に着脱自在に取り付けられて、収容空間４３に収容された重さ調整物Ｗを収容空間４３内に封入する。道糸挿通路５２は、本体部２１の外表面の一部であるベース面１５Ａから外方に張り出して設けられた挿通路形成部５１に形成される。【選択図】図６
2020184928.tif 000002
【特許請求の範囲】
【請求項１】
道糸が挿通される道糸挿通路を有するとともに、重さ調整物の収容および排出が可能な収容空間を内部に有する本体部と、
前記本体部に着脱自在に取り付けられて前記収容空間に収容された重さ調整物を前記収容空間内に封入するキャップ部とを備えた釣り用浮き。
【請求項２】
前記道糸挿通路は、前記本体部の外表面の一部であるベース面から外方に張り出して設けられた挿通路形成部に形成された請求項１に記載の釣り用浮き。
【請求項３】
前記ベース面に、前記道糸挿通路に挿通された道糸側に向けて突出するスペーサ部が設けられた請求項２に記載の釣り用浮き。
【請求項４】
前記本体部の内部の前記収容空間よりも前記ベース面側の領域に、空気が封入される空気封入空間を備えた請求項２または３に記載の釣り用浮き。
【請求項５】
前記ベース面は、前記道糸挿通路に挿通された道糸の延びる方向に２つの等辺が延びるほぼ二等辺三角形の形状を有しており、前記本体部は、前記ベース面をひとつの面とする三角錐形状に形成されている請求項２〜４のいずれかに記載の釣り用浮き。
【請求項６】
前記重さ調整物は液体又は粒状体から成る請求項１〜５のいずれかに記載の釣り用浮き。
【発明の詳細な説明】
【技術分野】
【０００１】
本発明は、魚釣り、特に沈め釣りに用いられる釣り用浮きに関する。
【背景技術】
【０００２】
釣り具を用いて行う魚釣りのうち、浮きを海中に沈めた状態で行う沈め釣りでは、釣針を海中に投げ入れた際、浮きが釣針ととともにゆっくり海中に沈んでいくようにする必要がある。このため釣り人は通常、重さの異なる浮きを予め複数用意しておき、それら複数の浮きの中から潮流の速さ等に応じた適切な重さのものを選択して用いるようにしている。また、複数の分銅錘とともにボルトを浮き本体に取り付けることによって、浮きの重さを簡単に調整できるようにしたものも知られている（例えば、下記の特許文献１参照）。このような浮きを用いるようにすれば、重さの異なる複数の浮き用意する必要がなくなるので、釣り人にとっては大変好都合である。
【先行技術文献】
【特許文献】
【０００３】
【特許文献１】登録実用新案第３１５０８７０号公報
【発明の概要】
【発明が解決しようとする課題】
【０００４】
しかしながら、上記特許文献１に開示された浮きでは、浮きの重さを調整する際には小さい分銅錘にボルトを通したり外したりする作業が必要であり、慣れない者にとっては重さの調整作業に時間がかかるものであった。
【０００５】
そこで本発明は、重さ調整作業を簡単かつスピーディに行うことができる釣り用浮きを提供することを目的とする。
【課題を解決するための手段】
【０００６】
本発明の釣り用浮きは、道糸が挿通される道糸挿通路を有するとともに、重さ調整物の収容および排出が可能な収容空間を内部に有する本体部と、前記本体部に着脱自在に取り付けられて前記収容空間に収容された重さ調整物を前記収容空間内に封入するキャップ部とを備えた。
【発明の効果】
【０００７】
本発明によれば、重さ調整作業を簡単かつスピーディに行うことができる釣り用浮きを提供できる。
【図面の簡単な説明】
【０００８】
【図１】本発明の一実施の形態における釣り用浮きの使用状態を示す図
【図２】本発明の一実施の形態における釣り用浮きの使用状態での側面図
【図３】（ａ）（ｂ）本発明の一実施の形態における釣り用浮きの使用状態での斜視図
【図４】本発明の一実施の形態における釣り用浮きの分解斜視図
【図５】本発明の一実施の形態における釣り用浮きの（ａ）分解断面図（ｂ）断面図
【図６】本発明の一実施の形態における釣り用浮きの使用状態での断面図
【図７】本発明の一実施の形態における釣り用浮きの使用状態での断面図
【発明を実施するための形態】
【０００９】
以下、図面を参照して本発明の実施の形態について説明する。図１は、釣り人ＴＢが釣り具１を用いて磯釣りをしている状況を示している。釣り具１の釣竿１１から延びる釣り糸１２の先端には餌ＥＳ付きの釣針１３が取り付けられており、釣針１３は海ＳＥの中の魚Ｆの生息領域（棚ＴＮ）に投じられている。
【００１０】
図１において、釣り糸１２は釣竿１１側の道糸１２ａと釣針１３側のハリス１２ｂから成り、道糸１２ａとハリス１２ｂはサルカン１４によって繋げられている。道糸１２ａには本発明の釣り用浮き（以下、単に「浮き」と称する）１５が取り付けられている（図２）。浮き１５は、本実施の形態では、沈め釣り用の浮きとして用いられている。
【００１１】
図３（ａ），（ｂ）および図４において、浮き１５は全体として、三角錐形状を有しており、ほぼ二等辺三角形の形状を有するベース面１５Ａと、ベース面１５Ａの２つの等辺それぞれに連接する２つの斜面１５Ｂと、ベース面１５Ａの底辺および２つの斜面１５Ｂそれぞれに連接する底面１５Ｃを備えている。浮き１５は水に浮く材料（例えば樹脂）から成り、本体部２１とキャップ部２２を有して構成されている。
【００１２】
図３（ａ），（ｂ）および図４において、本体部２１は、浮き１５のベース面１５Ａと２つの斜面１５Ｂを構成して底面１５Ｃ側に開口した中空の三角錐形状の部材である容器部３１と、浮き１５の底面１５Ｃを構成する三角形状の部材である孔開き蓋部３２から構成されている。容器部３１の内部には、底面１５Ｃ側（孔開き蓋部３２側）に開口３１Ｋを有する空洞部４１が形成されている（図４）。
【００１３】
図４および図５（ａ），（ｂ）（図５（ｂ）は図５（ａ）における矢視Ｖ−Ｖから見た断面図）において、空洞部４１内には、ベース面１５Ａとほぼ平行に仕切壁３１Ｄが設けられている。空洞部４１が有する空間のうち仕切壁３１Ｄよりもベース面１５Ａ側の空間は空気封入空間４２となっており、残りの空間は収容空間４３となっている。
【００１４】
図４および図５（ａ）において、孔開き蓋部３２は、中央部に連通孔３２Ｈを有している。孔開き蓋部３２は容器部３１の開口３１Ｋに、空洞部４１の全体を塞いで取り付けられる。孔開き蓋部３２が容器部３１に取り付けられた状態では、連通孔３２Ｈは収容空間４３のみに連通し、空気封入空間４２には連通しない。このため容器部３１に孔開き蓋部３２が取り付けられた状態では、空気封入空間４２は空気が封入された状態となる。このように、本実施の形態において、浮き１５は、本体部２１の内部の収容空間４３よりもベース面１５Ａ側の領域に、空気が封入される空気封入空間４２を備えた構成となっている。
【００１５】
一方、孔開き蓋部３２を容器部３１に取り付けた状態において、連通孔３２Ｈは収容空間４３に連通する。このため釣り人ＴＢは、連通孔３２Ｈから収容空間４３内に水や海水等の液体を重さ調整物Ｗとして収容させることができ、また、収容空間４３内に収容させた重さ調整物Ｗを連通孔３２Ｈから本体部２１の外部に排出させることもできる。
【００１６】
図４および図５（ａ），（ｂ）において、孔開き蓋部３２には、孔開き蓋部３２が容器部３１に取り付けられた状態で容器部３１の外方に突出した円筒状の突出部３２Ｔが設けられており、上述の連通孔３２Ｈはこの突出部３２Ｔを貫通して設けられている。突出部３２Ｔの外周面には雄螺子３２Ｓが形成されている。
【００１７】
図４および図５（ａ），（ｂ）において、キャップ部２２の内部には孔開き蓋部３２の雄螺子３２Ｓと螺合する雌螺子２２Ｓが設けられている。雌螺子２２Ｓを雄螺子３２Ｓに螺合させることで、キャップ部２２を孔開き蓋部３２に（すなわち本体部２１に）着脱することができ、キャップ部２２を孔開き蓋部３２に取り付けると、収容空間４３が密閉される。このため収容空間４３内に重さ調整物Ｗを収容させた状態でキャップ部２２を容器部３１に取り付けることで、収容空間４３内の重さ調整物Ｗを収容空間４３内に封入することができる。このように本実施の形態において、キャップ部２２は、本体部２１に着脱自在に取り付けられて前記収容空間４３に収容させた重さ調整物Ｗを収容空間４３内に封入するものとなっている。
【００１８】
図３（ａ），（ｂ）および図４において、容器部３１の外表面の一部であるベース面１５Ａには、外方に張り出した形状の複数（ここでは２つ）の挿通路形成部５１が設けられている。２つの挿通路形成部５１は、ベース面１５Ａの二等辺三角形状の頂角側に設けられた頂角側形成部５１ａと、ベース面１５Ａの二等辺三角形状の底辺側に設けられた底辺側形成部５１ｂから成る。底辺側形成部５１ｂは、ベース面１５Ａの底辺の延びる方向にアーチ状に延びた形状を有している。
【００１９】
図４および図５（ａ），（ｂ）において、頂角側形成部５１ａには、ベース面１５Ａの頂角と底辺の中央部とを結ぶ方向（糸通し方向と称する）に延びた貫通孔（糸通し孔５２ａ）が設けられている。一方、底辺側形成部５１ｂとベース面１５Ａとの間の領域は、糸通し方向に貫通した空間（糸通し空間５２ｂ）となっている。道糸１２ａは、糸通し空間５２ｂと糸通し孔５２ａを通るように挿通される。このように本実施の形態において、糸通し孔５２ａと糸通し空間５２ｂは、本体部２１に道糸１２ａが挿通される道糸挿通路５２となっている（図３（ａ），（ｂ）および図６）。
【００２０】
このように本実施の形態において、ベース面１５Ａは、道糸挿通路５２に挿通された道糸１２ａの延びる方向に２つの等辺が延びる二等辺三角形の形状を有しており、本体部２１は、ベース面１５Ａをひとつの面とする三角錐形状に形成されたものとなっている。
【００２１】
図２および図３（ａ），（ｂ）において、ベース面１５Ａには、複数（ここでは２つ）のスペーサ部５３が設けられている。これら２つのスペーサ部５３はそれぞれ、道糸挿通路５２（糸通し孔５２ａおよび糸通し空間５２ｂ）に挿通された道糸１２ａ側に突出した形状を有している。
【００２２】
浮き１５は、海中に投げ入れられる前に、釣り人ＴＢは収容空間４３に水や海水等の液体を重さ調整物Ｗとして注入する。このとき釣り人ＴＢは、釣りの対象とする魚の種類や釣針１３の海中での深さ、潮流ＬＮ（図２）の速さ等に応じ、収容空間４３に注入する重さ調整物Ｗの量（液体の量）を調整する。収容空間４３内には、水や海水等の液体とともに、ガン玉等の固体物を入れるようにしてもよい。釣り人ＴＢは、収容空間４３に重さ調整物Ｗを収容させたら、キャップ部２２を容器部３１に取り付けて、その重さ調整物Ｗを収容空間４３内に封入する。
【００２３】
釣り人ＴＢは、収容空間４３内に重さ調整物Ｗを封入したら、浮き１５に道糸１２ａを取り付ける。具体的には、２つの挿通路形成部５１（頂角側形成部５１ａおよび底辺側形成部５１ｂ）に設けられた道糸挿通路５２（糸通し孔５２ａおよび糸通し空間５２ｂ）に道糸１２ａを挿通させる。このとき、底辺側形成部５１ｂが道糸１２ａの上流側（釣竿１１側）に向くようにする。なお、浮き１５への道糸１２ａの取付けは、収容空間４３に重さ調整物Ｗを封入する前に行うのであっても構わない。
【００２４】
釣り人ＴＢは、収容空間４３内に重さ調整物Ｗを封入し、浮き１５に道糸１２ａを取り付け、釣針１３に餌ＥＳを取り付けたら、釣針１３を浮き１５とともに海中に投入する。海中に投入された浮き１５は、本体部２１の内部の収容空間４３よりもベース面１５Ａ側の領域に空気封入空間４２を有しているので、ベース面１５Ａが上方になる姿勢を取ろうとする。このため浮き１５は道糸１２ａの下方に位置し、海中で安定した姿勢をとる。
【００２５】
ここで、前述したように、ベース面１５Ａは、道糸挿通路５２に挿通された道糸１２ａの延びる方向に２つの等辺が延びるほぼ二等辺三角形の形状を有しており、本体部２１は、ベース面１５Ａをひとつの面とする三角錐形状に形成されている。そして、本体部２１は、底面１５Ｃ側が道糸１２ａの上流側（釣竿１１側）を向くように（すなわち、ベース面１５Ａの頂角部が釣針１３側に向くように）道糸１２ａに取り付けられている。このため、道糸１２ａの上流側（釣竿１１側）から下流側（釣竿１１から離れる側）に向く潮流ＬＮは、道糸１２ａの上流側（釣竿１１側）を向く面である底面１５Ｃに当たることになり（図２および図６）、浮き１５は潮流ＬＮに押されて道糸１２ａにラインが張られる。これにより釣り人ＴＢは餌ＥＳの沈下速度の微調整が容易となり、釣竿１１で当たりをとり易くなる。
【００２６】
浮き１５は、海中においては、収容空間４３内に封入された重さ調整物Ｗの量（液体の量）に応じた深さにとどまろうとする一方、道糸１２ａは浮き１５に対して一定範囲内で浮き１５に対して移動自在である。このため釣り人ＴＢは、道糸１２ａの繰り出し量を調節すること等により、釣針１３の海面からの深さ調整を行うことができ、全層釣りが行うことができる。
【００２７】
ここで、道糸１２ａが浮き１５に貼り付いてしまうのでは、道糸１２ａの繰り出し量の調整が妨げられてしまうところであるが、本実施の形態では、道糸１２ａが挿通される道糸挿通路５２が、本体部２１の外表面の一部であるベース面１５Ａから外方に張り出して設けられた挿通路形成部５１に形成されているため、挿通された道糸１２ａが本体部２１に（すなわち浮き１５に）貼り付くことが防止され、道糸１２ａの繰り出しをスムーズに行うことができる。更に、ベース面１５Ａに設けられた２つのスペーサ部５３が、２つの道糸挿通路５２（糸通し孔５２ａおよび糸通し空間５２ｂ）に挿通された道糸１２ａがベース面１５Ａに接触するのを妨げるので、この面からも、道糸１２ａがベース面１５Ａに貼り付くことが防止される。
【００２８】
沈め釣りでは、釣針１３を海中に投げ込んだ際、浮き１５が釣針１３とともにゆっくり海中に沈んでいくようにする必要があり、釣り人ＴＢは、潮流ＬＮの速さ等に応じて浮き１５の重さを変える必要がある。本実施の形態における浮き１５は、収容空間４３内に収容させる重さＷ調整物（液体）の量を調整するだけで浮き１５全体の重さを増減できるので、重さ調整作業を簡単かつスピーディに行うことができる。
【００２９】
ここで、収容空間４３に収容させる重さ調整物Ｗとしての液体の量を少なめにするとともに、収容空間４３内にガン玉ＧＤ等の固体物を錘として入れておくと、浮き１５は、図７に示すように、ベース面１５Ａの三角形形状の頂角に相当する側を下に向けた姿勢で海面上を浮遊する。浮き１５はこのようにして浮き釣り用の浮きとして使用することもできる。この場合、ガン玉ＧＤの重さや個数のほか、収容空間４３内に封入する液体を調整することで、海面上における浮き具合（沈み具合）を所望の状態にすることができる。
【００３０】
以上説明したように、本実施の形態における浮き１５によれば、収容空間４３内に収容させる重さ調整物Ｗ（液体）の量を調整するだけで浮き１５の重さを増減できるので、重さ調整作業を簡単かつスピーディに行うことができる。
【００３１】
また、本実施の形態における浮き１５において、道糸１２ａは、本体部２１の外表面の一部から張り出して設けられた複数の挿通路形成部５１に挿通されているので本体部２１に貼り付きにくく、道糸１２ａの繰り出し妨げられないので、釣針１３の海面からの深さ調整が容易である。しかも、ベース面１５Ａから道糸１２ａ側に向けて突出して設けられたスペーサ部５３が道糸１２ａとベース面１５Ａとの接触を妨げるので、道糸１２ａはより本体部２１に貼り付きにくい。
【００３２】
また、本実施の形態における浮き１５は、本体部２１の内部の収容空間４３よりもベース面１５Ａ側の領域に空気封入空間４２を有しているため、ベース面１５Ａが上方になる姿勢を取ろうとする。これにより浮き１５は道糸１２ａの下方に位置し、海中での安定した姿勢が確保される。
【００３３】
また、本実施の形態における浮き１５は、ベース面１５Ａは、道糸挿通路５２に挿通された道糸１２ａの延びる方向に２つの等辺が延びるほぼ二等辺三角形の形状を有しており、本体部２１は、ベース面１５Ａをひとつの面とする三角錐形状に形成されている。このため、道糸１２ａの上流側（釣竿１１側）を向く面（底面１５Ｃ）に潮流ＬＮが当たるようにすることで、道糸１２ａにラインが張られるようにすることができ、釣り人ＴＢは餌ＥＳの沈下速度の微調整が容易となって、当たりをとり易くなる。
【００３４】
これまで本発明の実施の形態について説明してきたが、本発明は前述したものに限られず、種々の設計変更等が可能である。例えば、上述の実施の形態では、底辺側形成部５１ｂはアーチ状に形成されていたが、これは一例であり、必ずしもアーチ状でなければならないわけではない。また、道糸挿通路５２が形成される挿通路形成部５１は、上述の実施の形態では２つ（頂角側形成部５１ａおよび底辺側形成部５１ｂ）であったが、２つに限られず、１つまたは３つ以上であってもよい。スペーサ部５３も２つに限られず、１つまたは３つ以上であってもよい。
【００３５】
また、上述の実施の形態において、道糸挿通路５２は本体部２１から突出した部分（本体部２１の外表面の一部であるベース面１５Ａから外方に張り出して設けられた挿通路形成部５１）に形成された構成となっていたが、道糸挿通路５２は必ずしもこのように本体部２１から突出した部分に形成されていなくてもよく、本体部２１の一部または全部を貫くように形成されていてもよい。
【００３６】
また、上述の実施の形態において、本体部２１は、外表面の一部であるベース面１５Ａから外方に張り出して設けられた複数の挿通路形成部５１を有しており、道糸挿通路５２はこれら複数の挿通路形成部５１に形成された構成となっていたが、道糸挿通路５２は道糸１２ａが本体部２１を挿通するように設けられていればよいのであって、必ずしも本体部２１から張り出して設けられた挿通路形成部５１に挿通されていなければならないわけではない。また、上述の実施の形態において、孔開き蓋部３２は容器部３１と分離自在な部材として説明したが、孔開き蓋部３２は容器部３１に分離不能に接合（接着）されていてもよいし、容器部３１と一体に製造されるのであってもよい。
【００３７】
また、上述の実施の形態では、道糸１２ａを浮き１５に挿通させる際、底辺側形成部５１ｂが道糸１２ａの上流側（釣竿１１側）に向くようにすると説明したが、状況によっては浮き１５の頂角側形成部５１ａが道糸１２ａの上流側に向くようにしてもよく、このような浮き１５の取付け状態で釣りを楽しむことも可能である。
【００３８】
また、浮き１５の重さの調整に用いる重さ調整物Ｗは、上述した水や海水等の液体に限られず、砂等の粒状体や小石等、他のものであってもよい。水や海水、砂等であれば、調達が容易であるうえ、紛失しても困らないので都合がよい。浮きの重さの微調整が可能な液体や粒状体は、本発明の釣り用浮きの重さ調整物Ｗとして最適である。
【産業上の利用可能性】
【００３９】
重さ調整作業を簡単かつスピーディに行うことができる釣り用浮きを提供する。
【符号の説明】
【００４０】
１１  釣竿
１２  釣り糸
１２ａ  道糸
１２ｂ  ハリス
１３  釣針
１５  釣り用浮き
２１  本体部
１５Ａ  ベース面
２２  キャップ部
４２  空気封入空間
４３  収容空間
５１  挿通路形成部
５２  道糸挿通路
５３  スペーサ部
Ｗ  重さ調整物
【図１】
2020184928.tif 000003
【図２】
2020184928.tif 000004
【図３】
2020184928.tif 000005
【図４】
2020184928.tif 000006
【図５】
2020184928.tif 000007
【図６】
2020184928.tif 000008
【図７】
2020184928.tif 000009